【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
少なくとも１つのプロセッサ、ストレージ、及び金銭管理を実行するためのネットワークに接続された通信プラットフォームを各々が有する少なくとも１つのマシンに実装される方法であって、
アカウントの第１のユーザからアクセス資格証明書を受信する工程であって、前記第１のユーザは前記アカウントのアクセス及び使用に関する第１のセットのルールに関連付けられる、工程と、
前記受信したアクセス資格証明書が第１のアクセス資格証明書と一致することを判定する工程であって、前記第１のアクセス資格証明書は前記第１のユーザに関連付けられ、前記第１のユーザと関係のある第２のユーザは第２のアクセス資格証明書を用いて前記アカウントにアクセスする権限を有し、また前記第１のセットのルールを制御する、工程と、
取引について前記第１のユーザに関連する第１の要求を受信する工程と、
前記取引に関する情報を抽出する工程と、
前記情報及び前記第１のセットのルールに基づいて前記第１の要求に対する少なくとも１つのアクションを決定する工程であって、前記第１のユーザは前記取引を成立させるための第１の金銭ツールを割り当てられ、また当該第１の金銭ツールに独立してアクセスする権限を有する、工程と、
を備える方法。
【請求項２】
前記少なくとも一つのアクションは、前記取引を促進するアクションと、前記取引をブロックするアクションと、及び前記取引の第１の要求について前記アカウントの前記第２のユーザに対して通知を提供するアクションとからなる群から選択される少なくとも一つのアクションを含む、請求項１に記載の方法。
【請求項３】
前記少なくとも１つのアクションは、
前記アカウントの前記第２のユーザに対して前記取引の承認の第２の要求を提供するアクションと、
前記第２のユーザから前記第２のアクセス資格証明書を受信するアクションと、
第２のセットのルールに基づいて、前記第２のユーザから前記第２の要求に対する回答
を受信するアクションと、
を含む、請求項１に記載の方法。
【請求項４】
前記回答が前記取引の拒絶を含む、請求項３に記載の方法。
【請求項５】
前記回答が前記取引の承認を含み、前記少なくとも１つのアクションが前記取引を促進するアクションをさらに含む、請求項３に記載の方法。
【請求項６】
前記少なくとも１つのアクションは仮想カード番号又は取引識別子を用いて前記取引を成立させるアクションを含む、請求項１に記載の方法。
【請求項７】
前記取引は預金取引、貯金取引、又は購入取引を含む、請求項１に記載の方法。
【請求項８】
前記第２のユーザは第２のセットのルールに関連付けられ、当該第２のセットのルールは少なくとも部分的に前記第１のセットのルールと異なり、前記第１のセットのルール又は前記第２のセットのルールは、前記アカウントに対する預金取引、前記アカウントを用いた購入取引、前記アカウント内での貯金計画、前記第１又は第２のセットのルールを作成又は変更する権限、前記アカウントを監視する権限、前記アカウントに関連する取引について通知を受信する権限、前記アカウントに関連する取引を承認又は拒絶する権限、及び前記アカウントを使用停止にする権限からなる群から選択される少なくとも１つの対象に関連する、請求項１に記載の方法。
【請求項９】
前記アカウントを監視する工程をさらに含む、請求項１に記載の方法。
【請求項１０】
前記第１のセットのルール、前記第２のセットのルール、前記第１のアクセス資格証明書、及び前記第２のアクセス資格証明書を受信する工程と、
前記第１のセットのルールを前記第１のアクセス資格証明書と関連付ける工程と、
前記第２のセットのルールを前記第２のアクセス資格証明書と関連付ける工程と、
をさらに含む請求項１に記載の方法。
【請求項１１】
登録情報の少なくとも一部を検証する工程をさらに含む、請求項１０に記載の方法。
【請求項１２】
前記登録情報は、氏名、住所、電子メールアドレス、電話番号、クレジットカード番号、銀行口座番号、及び電子支払いアカウントからなる群から選択される情報を少なくとも含む、請求項１１に記載の方法。
【請求項１３】
前記第１の要求は前記第１のユーザに関連付けられた要望リストに前記取引を追加する工程を含む、請求項１に記載の方法。
【請求項１４】
前記第２のユーザから前記第２のアクセス資格証明書を受信する工程と、
第２のセットのルールに基づいて、前記第２のユーザから前記要望リスト内の前記取引に関連する回答を受信する工程であって、前記回答は前記取引の承認又は拒絶を含む工程と、
をさらに含む請求項１３に記載の方法。
【請求項１５】
前記アクセス資格証明書はユーザ名に基づくログイン情報を含み、前記方法はキーコードを生成する工程をさらに含む、請求項１に記載の方法。
【請求項１６】
前記取引はエンティティに関わるものであり、該エンティティは金融機関又はベンダである、請求項１に記載の方法。
【請求項１７】
少なくとも１つのプロセッサ、ストレージ、及び金銭管理のための通信プラットフォームを有するシステムであって、
アカウントに対する第１のアクセス資格証明書に関連づけられた第１のセットのルール及び前記アカウントに対する第２のアクセス資格証明書に関連づけられた第２のセットのルールを記憶するように構成されたルールデータベースであって、前記第１のアクセス資格証明書は第１のユーザに関連付けられ、前記第１のユーザと関係のある第２のユーザは前記第２のアクセス資格証明書を用いて前記アカウントにアクセスする権限を有し、また前記第１のセットのルールを制御する、ルールデータベースと、
前記第１のセットのルール及び付加的な基準に基づいて、前記アカウントの前記第１のユーザに関連する取引の要求について少なくとも１つのアクションを決定するように構成されたルールセットエンジンであって、前記第１のユーザは前記取引を成立させるための第１の金銭ツールを割り当てられ、また当該第１の金銭ツールに独立してアクセスする権限を有する、ルールセットエンジンと、
前記少なくとも１つのアクションのうちの少なくとも一部を実行するように構成された
取引エンジンと、
を備えるシステム。
【請求項１８】
前記取引は預金取引、貯金取引、又は購入取引を含む、請求項１７に記載のシステム。
【請求項１９】
前記第２のセットのルールは少なくとも部分的に前記第１のセットのルールと異なり、前記第１のセットのルール又は前記第２のセットのルールは、前記アカウントに対する預金取引、前記アカウントを用いた購入取引、前記アカウント内での貯金計画、前記第１又は第２のセットのルールを作成又は変更する権限、前記アカウントを監視する権限、前記アカウントに関連する取引について通知を受信する権限、前記アカウントに関連する取引を承認又は拒絶する権限、及び前記アカウントを使用停止にする権限からなる群から選択される少なくとも１つの対象に関連する、請求項１７に記載のシステム。
【請求項２０】
前記第１のセットのルール、前記第２のセットのルール、前記第１のアクセス資格証明書、及び前記第２のアクセス資格証明書を受信する工程と、
前記第１のセットのルールを前記第１のアクセス資格証明書と関連付ける工程と、
前記第２のセットのルールを前記第２のアクセス資格証明書と関連付ける工程と、
を実行するように構成された登録エンジンをさらに備える、請求項１７に記載のシステム。
【請求項２１】
金銭管理のための情報が記録された不揮発性の機械可読媒体であって、前記情報が前記機械によって読み取られると、前記機械は
アカウントの第１のユーザからアクセス資格証明書を受信する工程であって、前記第１のユーザは前記アカウントのアクセス及び使用に関する第１のセットのルールに関連付けられる、工程と、
前記受信したアクセス資格証明書が第１のアクセス資格証明書と一致することを判定する工程であって、前記第１のアクセス資格証明書は前記第１のユーザに関連付けられ、前記第１のユーザと関係のある第２のユーザは第２のアクセス資格証明書を用いて前記アカウントにアクセスする権限を有し、また前記第１のセットのルールを制御する、工程と、
取引について前記第１のユーザに関連する第１の要求を受信する工程と、
前記取引に関する情報を抽出する工程と、
前記情報及び前記第１のセットのルールに基づいて前記第１の要求に対する少なくとも１つのアクションを決定する工程であって、前記第１のユーザは前記取引を成立させるための第１の金銭ツールを割り当てられ、また当該第１の金銭ツールに独立してアクセスする権限を有する工程と、
を実行する、不揮発性の機械可読媒体。
【請求項２２】
前記取引は預金取引、貯金取引、又は購入取引を含む、請求項２１に記載の媒体。
【請求項２３】
前記第２のユーザは第２のセットのルールに関連付けられ、該第２のセットのルールは少なくとも部分的に前記第１のセットのルールと異なり、前記第１のセットのルール又は前記第２のセットのルールは、前記アカウントに対する預金取引、前記アカウントを用いた購入取引、前記アカウント内での貯金計画、前記第１又は第２のセットのルールを作成又は変更する権限、前記アカウントを監視する権限、前記アカウントに関連する取引について通知を受信する権限、前記アカウントに関連する取引を承認又は拒絶する権限、及び前記アカウントを使用停止にする権限からなる群から選択される少なくとも１つの対象に関連する、請求項２１に記載の媒体。
【請求項２４】
前記第１のセットのルール、前記第２のセットのルール、前記第１のアクセス資格証明書、及び前記第２のアクセス資格証明書を受信する工程と、
前記第１のセットのルールを前記第１のアクセス資格証明書と関連付ける工程と、
前記第２のセットのルールを前記第２のアクセス資格証明書と関連付ける工程と、
をさらに備える請求項２１に記載の媒体。